(57)【要約】【課題】１つの導光手段を備える構成でありながら、複数の発光する部分を独立してオンオフ制御可能にし、しかも、簡単な構成で実現する。【解決手段】本発明の発光装置３は、複数の発光手段８、９、１０からの光を伝達する導光手段７を備え、特定の指向性がある光を発光する特定発光手段９を備え、そして、この特定発光手段９からの光を発光装置３の発光面７ａ側に向けて反射させる反射手段１４を備えてなるところに特徴を有するものである。【選択図】　図１
2004103284.tif 000002
【特許請求の範囲】
【請求項１】
複数の発光手段と、前記発光手段からの光を伝達する導光手段とを備えてなる発光装置において、
特定の指向性がある光を発光する特定発光手段を備えると共に、
前記特定発光手段からの光を発光装置の発光面側に向けて反射させる反射手段を備えたことを特徴とする発光装置。
【請求項２】
前記特定発光手段は、特定の指向性がある光を方向付けて発光することにより、前記反射手段へ照射するように構成されていることを特徴とする請求項１記載の発光装置。
【請求項３】
前記特定発光手段からの光を、前記反射手段へ照射するように屈折させる屈折手段を備えたことを特徴とする請求項１記載の発光装置。
【請求項４】
前記屈折手段と前記導光手段を一体化するように構成したことを特徴とする請求項３記載の発光装置。
【請求項５】
前記反射手段は、前記導光手段内に形成された斜面部で構成されていることを特徴とする請求項１記載の発光装置。
【請求項６】
前記特定発光手段からの光を、前記反射手段へ照射するように集光させる集光手段を備えたことを特徴とする請求項５記載の発光装置。
【請求項７】
前記特定発光手段以外の発光手段からの光を発光装置の発光面側に向けて反射させる反射手段を備えることを特徴とする請求項１ないし６のいずれかに記載の発光装置。
【請求項８】
異なる波長の光を発生する複数の発光手段と、
前記発光手段からの光を伝達する導光手段と、
前記複数の発光手段から発光された特定の波長の光を発光装置の発光面側に向けて反射させる反射手段とを備えたことを特徴とする発光装置。
【発明の詳細な説明】
【０００１】
【発明の属する技術分野】
本発明は、例えば液晶表示装置のバックライト等として好適する発光装置であって、複数の発光手段とこれら発光手段からの光を伝達する導光手段とを備えてなる発光装置に関する。
【０００２】
【従来の技術】
導光手段を備えた発光装置の一例として、特開昭６１−１８２０８６号公報に記載された表示装置がある。この表示装置では、導光手段に表示パターンの反射部を設けることにより、表示パターンを発光させるように構成している。また、特開２００１−２１８８６に記載された照明装置においては、導光板の形状を分岐部を有する形状に構成し、複数の分岐部を同時に発光させるように構成している。
【０００３】
【発明が解決しようとする課題】
上記した２つの装置の場合、１つまたは複数の発光する部分を同時に発光させるだけであり、複数の発光部を独立してオンオフ制御することができなかった。これに対して、特開平９−１３８４０２号公報に記載された装置では、導光手段の内部に仕切板を設けることにより、複数の発光する部分を独立してオンオフ制御することができるように構成されている。
【０００４】
しかし、上記特開平９−１３８４０２号公報の構成では、複数の導光手段と仕切板等で装置を構成しているので、構成が複雑となって、部品点数及び組立工数が多くなるという問題点があった。
【０００５】
本発明は上記事情に鑑みてなされたものであり、その目的は、１つの導光手段を備える構成でありながら、複数の発光する部分を独立してオンオフ制御することができ、しかも、簡単な構成で実現することができる発光装置を提供するにある。
【０００６】
【課題を解決するための手段】
請求項１の発明においては、複数の発光手段と、これら発光手段からの光を伝達する導光手段とを備えてなるものにおいて、特定の指向性がある光を発光する特定発光手段を備えると共に、この特定発光手段からの光を発光装置の発光面側に向けて反射させる反射手段を備えるように構成した。この構成の場合、複数の発光手段を独立してオンオフ制御すれば、１つの導光手段を備える構成でありながら、複数の発光する部分を独立してオンオフ制御することができ、しかも、簡単な構成で実現することができる。
【０００７】
この場合、請求項２の発明のように、特定発光手段によって、特定の指向性がある光を方向付けて発光することにより、反射手段へ照射するように構成することが好ましい。また、請求項３の発明のように、特定発光手段からの光を、反射手段へ照射するように屈折させる屈折手段を備えるように構成することも好ましい。更に、請求項４の発明によれば、屈折手段と導光手段を一体化するように構成したので、部品点数を少なくすることができる。
【０００８】
請求項５の発明によれば、反射手段を、導光手段内に形成された斜面部で構成したので、部品点数を少なくすることができる。この場合、請求項６の発明のように、特定発光手段からの光を、反射手段へ照射するように集光させる集光手段を備えるように構成することが好ましい。また、請求項７の発明のように、特定発光手段以外の発光手段からの光を発光装置の発光面側に向けて反射させる反射手段を備えることも良い構成である。
【０００９】
一方、請求項８の発明のように、異なる波長の光を発生する複数の発光手段と、前記発光手段からの光を伝達する導光手段と、前記複数の発光手段から発光された特定の波長の光を発光装置の発光面側に向けて反射させる反射手段とを備えるように構成しても、請求項１の発明とほぼ同じ作用効果を得ることができる。
【００１０】
【発明の実施の形態】
以下、本発明を液晶表示装置のバックライトに適用した第１の実施例について、図１ないし図３を参照しながら説明する。まず、図３は携帯情報端末（例えばバーコードリーダやＱＲコードリーダ等）１の全体構成を示す斜視図である。尚、この図３には、液晶表示装置２のバックライト（発光装置）３が携帯情報端末１の外部に描かれているが、このバックライト３は、本来、携帯情報端末１の内部に配設されている。
【００１１】
上記携帯情報端末１の本体４は、図３に示すように、ほぼ矩形箱状に形成されており、上面部には、インジケータ窓部５と、液晶表示装置２と、多数の操作スイッチからなる操作部６とが配設されている。携帯情報端末１の内部における液晶表示装置２及びインジケータ窓部５の下方部位には、バックライト３が配設されている。
【００１２】
上記バックライト３は、例えば矩形板状のアクリル板７と、３個のＬＥＤ８、９、１０とから構成されている。３個のＬＥＤ８、９、１０は、プリント配線基板１１に図３に示すように実装されており、両側の２個のＬＥＤ８、１０が液晶表示装置２のバックライト用ＬＥＤであり、中央のＬＥＤ９がインジケータ用ＬＥＤである。この場合、３個のＬＥＤ８、９、１０が発光手段を構成している。
【００１３】
また、上記アクリル板７が導光手段を構成している。このアクリル板７の図３中の左端面部（図１中の右端面部）には、上記インジケータ用ＬＥＤ９に対応するように、断面３角形状の凸部１２が突設されている。そして、アクリル板７の下面における液晶表示装置２に対応する部分には、多数の小さな円形の反射膜１３が設けられている。更に、アクリル板７の下面におけるインジケータ窓部５に対応する部分には、だ円形の反射膜１４が設けられている。
【００１４】
上記反射膜１３、１４は、例えばチタン白（ＴｉＯ２）等の光反射率の高い顔料をアクリル系バインダーに練りこんだインクを塗布または印刷することにより形成されている。これら反射膜１３、１４の図１中の上面（アクリル板７側の面）は、光を乱反射する乱反射面としての機能を有している。この場合、反射膜１３、１４が反射手段を構成している。
【００１５】
そして、上記構成の場合、２個のバックライト用ＬＥＤ８、１０から発光された光は、図１及び図２に示すように、アクリル板７の右端部からアクリル板７内へ入射し、アクリル板７内を反射伝達し、そのうちの、多数の反射膜１３に照射された光は、それら多数の反射膜１３で反射されて、アクリル板７の発光面（上面）７ａ側へ進み、該発光面７ａから発光されるように構成されている。これにより、上記発光面７ａから発光された光は、液晶表示装置２のバックライトとして機能するようになっている。
【００１６】
また、インジケータ用ＬＥＤ９から発光された光は、図１及び図２に示すように、アクリル板７の右端部の凸部１２の傾斜面１２ａから該凸部１２内へ入射し、だ円形の反射膜１４に照射される。この場合、光が凸部１２の傾斜面１２ａから入射するときに、屈折するように構成されている。即ち、凸部１２が屈折手段を構成している。また、インジケータ用ＬＥＤ９は、発光した光を上記だ円形の反射膜１４だけに照射する指向性（即ち、特定の指向性）を有している。この場合、インジケータ用ＬＥＤ９が特定発光手段を構成している。尚、屈折手段である凸部１２によってインジケータ用ＬＥＤ９からの光を屈折させない場合には、インジケータ用ＬＥＤ９を傾けて設置する（即ち、プリント配線基板１１への取付角度を変える）必要がある。
【００１７】
そして、上記反射膜１４に照射された光は、該反射膜１４で反射されて、アクリル板７の発光面（上面）７ａ側へ進み、該発光面７ａから発光されるように構成されている。これにより、インジケータ窓部５が発光（点灯）する構成となっている。
【００１８】
上記構成の場合、インジケータ窓部５を点灯（または消灯）したいときには、インジケータ用ＬＥＤ９を点灯（または消灯）させれば良い。また、液晶表示装置２のバックライト３を点灯（または消灯）したいときには、バックライト用ＬＥＤ８、１０を点灯（または消灯）させれば良い構成となっている。
【００１９】
このような構成の本実施例においては、３個のＬＥＤ８、９、１０と、これらＬＥＤ８、９、１０からの光を伝達するアクリル板７とを備え、３個のＬＥＤ８、９、１０の中のインジケータ用ＬＥＤ９から特定の指向性がある光を発光させるようにすると共に、このインジケータ用ＬＥＤ９からの光をバックライト（発光装置）３の発光面側に向けて反射させる反射膜１４を備えるように構成した。この構成によれば、３個のＬＥＤ８、９、１０を独立してオンオフ制御することにより、１つのアクリル板７（導光手段）を備える構成でありながら、複数の発光する部分、即ち、液晶表示装置２とインジケータ窓部５に対して独立してオンオフ制御することができる。しかも、このような構成を、簡単な構成にて容易に実現することができる。
【００２０】
また、上記実施例においては、アクリル板７（導光手段）の凸部１２（屈折手段）によって、インジケータ用ＬＥＤ９からの光を屈折させるように構成したので、３個のＬＥＤ８、９、１０をプリント配線基板１１に同じ取付角度で取り付けることができる。このため、組立性を向上できる。更に、上記実施例では、屈折手段（凸部１２）と導光手段（アクリル板７）を一体化するように構成したので、部品点数を少なくすることができる。
【００２１】
図４及び図５は、本発明の第２の実施例を示すものである。尚、第１の実施例と同一部分には同一符号を付している。この第２の実施例においては、アクリル板７に凸部１２を設けることをやめて、インジケータ用ＬＥＤ９からの光をアクリル板７の端部に直接入射させるように構成している。そして、図４に示すように、インジケータ用ＬＥＤ９を、少し傾いた取付状態（取付角度）となるように、プリント配線基板１１に取り付けている。
【００２２】
この構成の場合、インジケータ用ＬＥＤ９の取付角度によって、該インジケータ用ＬＥＤ９からの光は、だ円形の反射膜１４だけに照射されて、ここで反射されるようになっている。
【００２３】
上述した以外の第２の実施例の構成は、第１の実施例の構成とほぼ同じ構成となっている。従って、第２の実施例においても、第１の実施例とほぼ同じ作用効果を得ることができる。
【００２４】
図６及び図７は、本発明の第３の実施例を示すものである。尚、第１の実施例と同一部分には同一符号を付している。この第３の実施例においては、アクリル板７の右端部に、凸部１２に代えて凸レンズ状をなす集光部１５を設けた。そして、アクリル板７に反射膜１４を設けることをやめると共に、アクリル板７におけるインジケータ窓部５に対応する部位に、断面３角形状の凹部１６を形成した。この凹部１６の斜面部１６ａが反射面（反射手段）となっている。
【００２５】
上記構成の場合、インジケータ用ＬＥＤ９からの光は、アクリル板７の端部の集光部１５に入射し、上記凹部１６の斜面部１６ａに入射して、ここで反射され、アクリル板７の発光面７ａ側へ進み、インジケータ窓部５へ向けて発光されるように構成されている。ここで、アクリル板７の集光部１６は、凸レンズとしての集光作用を備えており、インジケータ用ＬＥＤ９からの光を集めて強くしてアクリル板７の凹部１６の斜面部１６ａに入射させる機能を有している。
【００２６】
そして、上述した以外の第３の実施例の構成は、第１の実施例の構成とほぼ同じ構成となっている。従って、第３の実施例においても、第１の実施例とほぼ同じ作用効果を得ることができる。特に、第３の実施例によれば、アクリル板７に集光部１５を設けたので、インジケータ窓部５に向けて発光される光の強さを強くすることができる。また、第３の実施例では、反射手段を、アクリル板７内に形成された凹部１６の斜面部１６ａで構成したので、部品点数を少なくすることができる。
【００２７】
尚、上記各実施例においては、アクリル板７にインクを塗布することにより、反射膜１３、１４を形成するように構成したが、これに限られるものではなく、例えばアクリル板７の表面を傷つけることにより、その傷付いた面部（即ち、乱反射面部）を反射手段とするように構成しても良い。
【００２８】
また、上記各実施例では、屈折手段（凸部１２）や集光手段（集光部１５）を導光手段（アクリル板７）に一体に設けるように構成したが、これに代えて、屈折手段や集光手段をアクリル板７とは別体（別部品）としても良い。
【００２９】
一方、異なる波長の光を発生する複数のＬＥＤ（発光手段）を備え、これら複数のＬＥＤの中の１つのＬＥＤから発光された特定の波長の光を、アクリル板７の発光面７ａ側（ひいてはインジケータ窓部５）に向けて反射させる反射膜や反射面部等（反射手段）をアクリル板７に設けるように構成しても良い。そして、このように構成した場合も、上記各実施例とほぼ同様な作用効果を得ることができる。
【図面の簡単な説明】
【図１】本発明の第１の実施例を示すバックライトの部分側面図
【図２】バックライトの部分上面図
【図３】携帯情報端末の全体の斜視図
【図４】本発明の第２の実施例を示す図１相当図
【図５】図２相当図
【図６】本発明の第３の実施例を示す図１相当図
【図７】図２相当図
【符号の説明】
１は携帯情報端末、２は液晶表示装置、３はバックライト（発光装置）、４は本体、５はインジケータ窓部、７はアクリル板（導光手段）、８はバックライト用ＬＥＤ（発光手段）、９はインジケータ用ＬＥＤ（特定発光手段）、１０はバックライト用ＬＥＤ（発光手段）、１１はプリント配線基板、１２は凸部（屈折手段）、１３は反射膜（反射手段）、１４は反射膜（反射手段）、１５は集光部、１６は凹部、１６ａは斜面部（反射手段）を示す。
【図１】
2004103284.tif 000003
【図２】
2004103284.tif 000004
【図３】
2004103284.tif 000005
【図４】
2004103284.tif 000006
【図５】
2004103284.tif 000007
【図６】
2004103284.tif 000008
【図７】
2004103284.tif 000009